(57)【要約】【課題】直流電源を使用し且つフォトコントローラにより制御されるバッテリボックス付きLEDストリップライト装置を提供すること。【解決手段】本考案によるバッテリボックス付きLEDストリップライト装置は、直列接続された電源供給システムとストリップライト発光システムとを含む。前記ストリップライト発光システムは、幾つかのLEDランプとそれらを電気的に接続するためのリード線とからなるLEDストリップライトであり、前記電源供給システムは、リード線を介してLEDストリップライトに直列接続されたバッテリと、フォトコントローラとを含み、さらに、前記フォトコントローラとバッテリとが収納されるバッテリボックスを含む。【選択図】図１
0003160348.tif 000002
【実用新案登録請求の範囲】
【請求項１】
直列接続された電源供給システムとストリップライト発光システムとを含むバッテリボックス付きLEDストリップライト装置であって、
前記ストリップライト発光システムは、幾つかのLEDランプとそれらを電気的に接続するためのリード線とからなるLEDストリップライトであり、
前記電源供給システムは、リード線を介してLEDストリップライトに直列接続されたバッテリと、フォトコントローラとを含み、さらに、前記フォトコントローラとバッテリとが収納されるバッテリボックスを含むことを特徴とする、
バッテリボックス付きLEDストリップライト装置。
【請求項２】
前記バッテリボックスは、本体とカバーとを含み、さらに、本体またはカバーのうちいずれかの一つに付着され、本体とカバーとを気密に結合させるシール環を含むことを特徴とする請求項１に記載のバッテリボックス付きLEDストリップライト装置。
【請求項３】
前記LEDランプのうち、一部が点滅機能を有することを特徴とする請求項１に記載のバッテリボックス付きLEDストリップライト装置。
【請求項４】
前記LEDランプのうち、全部が点滅機能を有することを特徴とする請求項１に記載のバッテリボックス付きLEDストリップライト装置。
【請求項５】
前記フォトコントローラは制御回路を有し、前記制御回路のうち、LEDランプの点滅機能のオン／オフを制御することにより様々な色模様に変換される制御回路を含むことを特徴とする請求項３または４に記載のバッテリボックス付きLEDストリップライト装置。
【請求項６】
前記フォトコントローラの制御回路のうち、LEDストリップライトのオン／オフを光誘導により自動的に調節する制御回路と、使用時間帯を自由に選択するタイミング制御回路と、灯光の強弱を自動的に調節する制御回路とを含むことを特徴とする請求項５に記載のバッテリボックス付きLEDストリップライト装置。
【請求項７】
前記フォトコントローラは制御回路を有し、前記制御回路のうち、LEDストリップライトのオン／オフを光誘導により自動的に調節する制御回路と、使用時間帯を自由に選択するタイミング制御回路と、灯光の強弱を自動的に調節する制御回路とを含むことを特徴とする請求項１、２、３または４に記載のバッテリボックス付きLEDストリップライト装置。
【請求項８】
前記LEDストリップライトは、N本（N≧１）有し、LEDストリップライトの間を並列接続していることを特徴とする請求項１、２、３または４に記載のバッテリボックス付きLEDストリップライト装置。
【考案の詳細な説明】
【技術分野】
【０００１】
本考案は、LEDストリップライト装置に係り、特に、バッテリボックス付きLEDストリップライト装置に関するものである。
【背景技術】
【０００２】
従来の技術では、LEDストリップライトは、如何なるタイプの電源、すなわち交流または直流に適用されても、その供給電源は、いずれも交流電力を使用する。
そのため、LEDストリップライトは、コネクタを介して供給される交流電源に接続された後に直接使用されるか、供給される交流電力を整流器により整流した後に使用される。
したがってLEDストリップライトを室外に使用しようとする時には、ケーブルを引き伸ばして室内に配置された交流電源に接続しなければならず、不安全だけではなく使用場所が移転される時に使用し難くなる。
しかも、従来の技術におけるLEDストリップライトのオン／オフは、必要に応じて固定の時間帯に使用するか、灯光の強弱を自動的に調節するか、様々な色模様を変更可能な点滅機能に変換される等、その調節はいずれも人工で制御され、とても不便だけではなく科学的でない。
【考案の概要】
【考案が解決しようとする課題】
【０００３】
本考案の目的は、直流電源を使用し且つフォトコントローラにより制御されるバッテリボックス付きLEDストリップライト装置を提供することにある。
【課題を解決するための手段】
【０００４】
前記目的を達成するためには、本考案によるバッテリボックス付きLEDストリップライト装置は、直列接続された電源供給システムとストリップライト発光システムとを含み、前記ストリップライト発光システムは、幾つかのLEDランプとそれらを電気的に接続するためのリード線とからなるLEDストリップライトであり、前記電源供給システムは、リード線を介してLEDストリップライトに直列接続されたバッテリと、フォトコントローラとを含み、さらに、前記フォトコントローラとバッテリとが収納されるバッテリボックスを含む。
【０００５】
本考案は、さらに、バッテリボックス付きLEDストリップライト装置を提供し、前記バッテリボックスは、本体とカバーとを含み、さらに、本体またはカバーに付着され本体とカバーとを気密に結合させるシール環を含む。
【０００６】
本考案は、さらに、バッテリボックス付きLEDストリップライト装置を提供し、前記LEDランプのうち、一部が点滅機能を有し、該点滅機能はフォトコントローラにより調節制御されている。或いは、前記LEDランプは、全部が点滅機能を有し、該点滅機能はフォトコントローラにより調節制御されている。
【０００７】
本考案は、さらに、バッテリボックス付きLEDストリップライト装置を提供し、前記フォトコントローラの制御回路のうち、LEDランプの点滅機能のオン／オフを制御することにより、様々な色模様に変換される制御回路を含む。或いは、前記フォトコントローラの制御回路のうち、LEDストリップライトのオン／オフを光誘導により自動的に調節する制御回路と、使用時間帯を自由に選択するタイミング制御回路と、灯光の強弱を自動的に調節する制御回路とを含む。
【０００８】
本考案は、さらに、バッテリボックス付きLEDストリップライト装置を提供し、前記LEDストリップライトは、N本（N≧１）有し、LEDストリップライトの間を並列接続している。
【考案の効果】
【０００９】
本考案による効果は、前記技術手段を採用したので、LEDストリップライトとバッテリとを直列接続した後に、あらゆる時日及び場所でも使用でき、ケーブルを引き伸ばして室内に配置された交流電源に接続する必要はなくなり、安全だけではなく使用場所を移転し易くなる。
しかも、フォトコントローラによって制御されたLEDストリップライトは、感知された昼間や夜に応じてLEDストリップライトを自動的にオン／オフさせるか、必要に応じて固定の時間帯に使用するか、灯光の強弱を自動的に調節するか、様々な色模様を変更可能な点滅機能に変換される等ができるようになり、工数が削減され、便利だけでなく科学的である。
また、構造上に於いて、フォトコントローラとバッテリとを気密防水防湿のバッテリボックス内に収納することで、使用上の安全性が大幅に向上され、LEDストリップライトの収納もし易くなる。
【００１０】
本考案の特徴及び技術内容を深く且つ具体的な理解できるため、以下に本考案に関わる詳しい説明及び添付図面を参照するが、それらの添付図面が参考及び説明のみに使われ、本考案の主張範囲を狭義的に局限するものではないことは言うまでもないことである。
【図面の簡単な説明】
【００１１】
【図１】本考案によるバッテリボックス付きLEDストリップライト装置のバッテリボックスの断面図である。
【図２】本考案によるバッテリボックス付きLEDストリップライト装置の回路図である。
【図３】本考案によるバッテリボックス付きLEDストリップライト装置の他の実施例の回路図である。
【図４】本考案によるバッテリボックス付きLEDストリップライト装置のN本LEDストリップライトの回路図である。
【図５】本考案によるバッテリボックス付きLEDストリップライト装置の回路のブロック図である。
【考案を実施するための形態】
【００１２】
本考案によるバッテリボックス付きLEDストリップライト装置は、図１及び図２に示すように、直列接続された電源供給システムとストリップライト発光システムとを含む。
前記ストリップライト発光システムは、幾つかのLEDランプ１１とそれらを電気的に接続するためのリード線１２とからなるLEDストリップライト１である。
前記電源供給システムは、リード線１２に直列接続されたバッテリ２を含み、さらに、LEDストリップライト１とバッテリ２とに直列接続されたフォトコントローラ４とを含む。
前記電源供給システムは、さらに、バッテリボックス３を含み、収納する時に直流電源とLEDストリップライトとフォトコントローラ４との間で互いに巻き纏われることを避け、使用場所を変える時に移動し易くなるように、前記フォトコントローラ４とバッテリ２とがバッテリボックス３内に収納されている。
【００１３】
図１に示すように、バッテリボックス３のより好ましい実施例として、前記バッテリボックス３は、互いに接続された本体３１とカバー３２とを含み、さらに、本体３１とカバー３２とを気密に結合させるシール環３３を含み、シール環３３は、カバー３２の凹溝内に嵌められ、LEDストリップライトを室外で使用する時に、風や雨に耐えられる。
【００１４】
図２、図３、図５に示すように、LEDストリップライト１のより好ましい実施例として、前記LEDランプ１１は、一部または全部が点滅機能を有し、該点滅機能はフォトコントローラ４により調節制御されている。前記フォトコントローラ４の制御回路のうち、LEDランプ１１の点滅機能のオン／オフを制御することにより様々な色模様に変換される制御回路を含む。
【００１５】
図４に示すように、LEDストリップライト１のより好ましい実施例として、前記LEDストリップライト１は、N本（N≧１）有し、LEDストリップライト１の間を並列接続している。
【００１６】
図５に示すように、フォトコントローラ４のより好ましい実施例として、前記フォトコントローラ４の制御回路のうち、LEDストリップライト１のオン／オフを光誘導により自動的に調節する制御回路と、使用時間帯を自由に選択するタイミング制御回路と、灯光の強弱を自動的に調節する制御回路とを含む。
フォトコントローラ４は、LEDストリップライト１のオン／オフを光線への光誘導により自動的に調節し、必要に応じて所定の時間帯に使用し、灯光の強弱を自動的に調節し並び様々な色模様を変更可能な点滅機能に変換される等の機能を有することによって、自動的な無人制御や、省エネー、省電力、効率よい環境保護を確実に達成できる。
図５に示される回路のブロック図における電源回路は、前記電源供給システムの回路であり、図５に示される回路のブロック図における照明回路は、前記ストリップライト発光システムの回路である。
【００１７】
しかし、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【符号の説明】
【００１８】
１    LEDストリップライト
１１  LEDランプ
１２  リード線
２    バッテリ
３    バッテリボックス
３１  本体
３２  カバー
３３  シール環
４    フォトコントローラ
【図１】
0003160348.tif 000003
【図２】
0003160348.tif 000004
【図３】
0003160348.tif 000005
【図４】
0003160348.tif 000006
【図５】
0003160348.tif 000007
【手続補正書】
【提出日】平成22年4月8日(2010.4.8)
【手続補正１】
【補正対象書類名】実用新案登録請求の範囲
【補正対象項目名】請求項３
【補正方法】変更
【補正の内容】
【請求項３】
前記フォトコントローラが制御回路を有し、該制御回路が一部のLEDランプの点滅制御を行うことを特徴とする請求項１に記載のバッテリボックス付きLEDストリップライト装置。
【手続補正２】
【補正対象書類名】実用新案登録請求の範囲
【補正対象項目名】請求項４
【補正方法】変更
【補正の内容】
【請求項４】
前記フォトコントローラが制御回路を有し、該制御回路が全部のLEDランプの点滅制御を行うことを特徴とする請求項１に記載のバッテリボックス付きLEDストリップライト装置。